(57)【要約】【課題】保護者が学校に足を運ばなくても学校行事の写真の注文がなし得る学校行事の写真の販売方法および販売システムを提供する。【解決手段】写真館コンピュータ１０と、サーバーとしての機能を有する管理者コンピュータ２０と、購入者コンピュータ３０とを用い、写真館のホームページに写真館コンピュータ１０からのイベント毎の写真を、イベント毎に発行されるイベントＩＤに基づいて閲覧できるようにして管理者コンピュータ２０によりインターネットＩＮ上に公開して購入者コンピュータ３０により購入できるようにしたものである。【選択図】図１
2016038644.tif 000002
【特許請求の範囲】
【請求項１】
写真館コンピュータと、管理者コンピュータと、購入者コンピュータとを用いた写真の販売方法であって、
前記写真館は、前記購入者と密接な関係のある人物の写真をイベント毎に撮影するものとされ、
前記管理者は、前記写真館のホームページを有し、同ホームページに前記写真館コンピュータからのイベント毎の写真を、イベント毎に発行されるイベントＩＤに基づいて閲覧できるようにして前記管理者コンピュータによりインターネット上に公開し、
前記購入者は、前記写真館から提供されるイベント毎のイベントＩＤに基づいて、前記管理者コンピュータによりインターネット上に公開されている同写真館のホームページに前記購入者コンピュータによりアクセスし、同イベントＩＤに該当する写真を閲覧し、ついで閲覧した写真の中から所望する写真の購入を同購入者コンピュータによりなす
ことを特徴とする写真の販売方法。
【請求項２】
ホームページ上に公開される写真は、サムネイルとされてなることを特徴とする請求項１記載の写真の販売方法。
【請求項３】
ホームページ上に公開される写真に、当該写真が見本であることを示す表示が付与されてなることを特徴とする請求項１または２記載の写真の販売方法。
【請求項４】
写真館コンピュータと、管理者コンピュータと、購入者コンピュータとを用いた写真の販売システムであって、
前記写真館コンピュータと、前記管理者コンピュータと、前記購入者コンピュータとは、インターネットを介して接続可能とされ、
前記管理者コンピュータは、サーバーとしての機能を有するものとされて前記写真館コンピュータからアップされたイベント毎の写真が閲覧可能とされた当該写真館のホームページを備え、前記購入者コンピュータからの写真の注文に基づいて写真のプリントを指示する
こと特徴とする写真の販売システム。
【請求項５】
管理者コンピュータに写真プリント機が接続されてなることを特徴する請求項４記載の写真の販売システム。
【請求項６】
購入者コンピュータにより写真の購入に対する決済が可能とされてなることを特徴する請求項４記載の写真の販売システム。
【請求項７】
購入者コンピュータによる写真の閲覧が、イベントＩＤの入力がなされることにより当該イベントＩＤに対応した写真のみ可能とされてなることを特徴する請求項４記載の写真の販売システム。
【請求項８】
閲覧した写真群の中から購入を希望する写真の選択がなし得るようにされてなることを特徴する請求項４記載の写真の販売システム。
【請求項９】
購入する写真のサイズおよび／または枚数が指定できるようにされてなることを特徴する請求項８記載の写真の販売システム。
【請求項１０】
ホームページ上に公開される写真は、サムネイルとされてなることを特徴とする請求項４記載の写真の販売システム。
【請求項１１】
ホームページ上に公開される写真に、当該写真が見本であることを示す表示が付与されてなることを特徴とする請求項４記載の写真の販売システム。
【発明の詳細な説明】
【技術分野】
【０００１】
本発明は、学校における運動会や遠足などの各種行事の写真や結婚式場における結婚式などにおける写真の販売方法および販売システムに関する。さらに詳しくは、インターネットを利用してそれらの写真を販売する写真の販売方法および販売システムに関する。
【背景技術】
【０００２】
従来より、幼稚園や小学校（以下、単に学校という）においては、運動会や遠足などの行事においては、専属のカメラマンが同行して園児や児童の当該行事における様子の写真撮影がなされている。
【０００３】
カメラマンに撮影された写真は、後日、教室や廊下などに貼られ、参観に訪れた保護者が鑑賞できるようにされるとともに、自分の子供が写っている写真の注文がなし得るようにされている。例えば、貼られた写真の番号を指定することにより注文がなし得るようにされている。
【０００４】
しかしながら、かかる注文方法では、保護者が学校に足を運ぶ必要があり、不便であるという問題がある。また、写真サイズの指定もしがたいという問題もある。
【０００５】
なお、学校新聞やバザーなどの情報発信に関しては特許文献１に提案がなされている。
【先行技術文献】
【特許文献】
【０００６】
【特許文献１】特開２００８−６５９７４号公報
【発明の開示】
【発明が解決しようとする課題】
【０００７】
本発明はかかる従来技術の課題に鑑みなされたものであって、保護者が学校に足を運ばなくても学校行事の写真の注文がなし得る学校行事の写真の販売方法および販売システムを提供することを主たる目的としている。
【課題を解決するための手段】
【０００８】
本発明の写真の販売方法は、写真館コンピュータと、管理者コンピュータと、購入者コンピュータとを用いた写真の販売方法であって、前記写真館は、前記購入者と密接な関係のある人物の写真をイベント毎に撮影するものとされ、前記管理者は、前記写真館のホームページを有し、同ホームページに前記写真館コンピュータからのイベント毎の写真を、イベント毎に発行されるイベントＩＤに基づいて閲覧できるようにして前記管理者コンピュータによりインターネット上に公開し、前記購入者は、前記写真館から提供されるイベント毎のイベントＩＤに基づいて、前記管理者コンピュータによりインターネット上に公開されている同写真館のホームページに前記購入者コンピュータによりアクセスし、同イベントＩＤに該当する写真を閲覧し、ついで閲覧した写真の中から所望する写真の購入を同購入者コンピュータによりなすことを特徴とする。
【０００９】
一方、本発明の写真の販売システムは、写真館コンピュータと、管理者コンピュータと、購入者コンピュータとを用いた写真の販売システムであって、前記写真館コンピュータと、前記管理者コンピュータと、前記購入者コンピュータとは、インターネットを介して接続可能とされ、前記管理者コンピュータは、サーバーとしての機能を有するものとされて前記写真館コンピュータからアップされたイベント毎の写真が閲覧可能とされた当該写真館のホームページを備え、前記購入者コンピュータからの写真の注文に基づいて写真のプリントを指示すること特徴とする。
【００１０】
本発明の写真の販売システムにおいては、管理者コンピュータに写真プリント機が接続されてなるものとされる。
【００１１】
また、本発明の写真の販売システムにおいては、購入者コンピュータにより写真の購入に対する決済が可能とされてなのが好ましい。
【００１２】
また、本発明の写真の販売システムにおいては、購入者コンピュータによる写真の閲覧が、イベントＩＤの入力がなされることにより当該イベントＩＤに対応した写真のみ可能とされてなるのが好ましい。
【００１３】
また、本発明の写真の販売システムにおいては、閲覧した写真群の中から購入を希望する写真の選択がなし得るようにされてなるのが好ましい。
【００１４】
また、本発明の写真の販売システムにおいては、購入する写真のサイズおよび／または枚数が指定できるようにされてなるのが好ましい。
【００１５】
ここで、ホームページ上に公開される写真は、サムネイルとされ、また当該写真が見本であることを示す表示が付与されてなるものとされる。
【００１６】
また、購入者と密接な関係にある人物とは、例えば購入者の子供とされる。
【発明の効果】
【００１７】
本発明は前記の如く構成されているので、保護者などの写真を購入する希望者は、学校などに足を運ぶことなくインターネットを通じて写真を閲覧することができるという優れた効果を奏する。
【００１８】
閲覧した写真の購入がなし得るようにされている本発明の好ましい形態によれば、学校などに足を運ぶことなく写真の購入がなし得るという優れた効果を奏する。
【図面の簡単な説明】
【００１９】
【図１】本発明の実施形態１に係る写真販売システムのブロック図である。
【図２】同システムにおけるやり取りの流れを示すフロー図である。
【図３】同実施形態における写真館コンピュータに表示される画面の一例であって、ログイン用画面を示す。
【図４】同ログイン画面を示す。
【図５】写真館の情報を入力する情報入力画面の一例を示す画面である。
【図６】イベント内容記入画面の一例を示す画面である。
【図７】管理者コンピュータによりネット上に公開されるイベント写真の一例を示す概略図である。
【図８】「買い物かごを開く」ボタンがクリックされた場合に開く画面の一例を示す図である。
【図９】購入手続画面の一例を示す図である。
【図１０】決済手続画面の一例を示す図である。
【図１１】購入者コンピュータにダウンロードされる写真館ホームページの一例を示す図である。
【図１２】イベント販売一覧のデータの一例を示す図である。
【図１３】本発明の実施形態２の図１相当図である。
【発明を実施するための形態】
【００２０】
以下、添付図面を参照しながら本発明を実施形態に基づいて説明するが、本発明はかかる実施形態のみに限定されるものではない。
【００２１】
実施形態１
本発明の実施形態１に係る写真販売システム（以下、単にシステムという）Ｓを図１にブロック図で示す。
【００２２】
システムＳは、図１に示すように、写真館コンピュータ１０と、サーバーとしての機能を有するする管理者コンピュータ２０と、購入者コンピュータ３０とをインターネット(以下、単にネットということもある。)ＩＮを介して接続してなるものとされる。
【００２３】
ここで、「写真館」とは、学校と契約して各種校内行事に専属カメラマンを派遣するものをいう。「管理者」とは、写真館と契約して各種校内行事の写真をネットＩＮ上で公開などをするものをいう。「購入者」とは、ネットＩＮ上で公開された写真を閲覧して写真を購入(注文)する保護者などをいう。
【００２４】
写真館コンピュータ１０は、主として、各種校内行事（以下、イベントという）における写真（以下、イベント写真という）データ、イベント写真の展示用縮小写真（サムネイル）データ、購入者データおよび写真館データを管理者コンピュータ２０に送信するものとされる。
【００２５】
管理者コンピュータ２０は、主として、写真館コンピュータ１０から送信されてくるイベント写真データ、展示用縮小写真データおよび各種データの管理、ならびに管理している展示写真のネットＩＮ上での公開、それに加えて購入者コンピュータ３０からの購入オーダーの管理などをなすものとされる。
【００２６】
購入者コンピュータ３０は、主として、管理者コンピュータ２０により写真館毎にネットＩＮ上に公開されているイベント写真の展示用縮小写真を閲覧および展示されている写真に基づいて写真の購入をなすものとされる。イベント写真のネットＩＮ上での公開は、例えば、写真館毎のホームページをネットＩＮ上にアップすることによりなされる。
【００２７】
図２に、本システムＳにおけるやり取りの概略を示す。以下、図２にしたがって、本システムＳにおける手順の概略について説明する。なお、事前に写真館と管理者との間でネットＩＮでの写真の委託販売契約が締結され、その契約に基づいて管理者から写真館に対して、識別番号（ＩＤ）とパスワードが提供されている。
【００２８】
写真館データ、販売する写真のサイズ（例えばＬサイズ、２Ｌサイズ、キャビネサイズ、四切サイズなど）、各サイズのプリント代、顧客データ（つまり写真館が契約している学校の保護者のデータ（氏名、住所、Ｅ−ｍａｉｌアドレスなど））を写真館コンピュータ１０から管理者コンピュータ２０に写真販売の事前準備としてアップする。管理者コンピュータ２０は、アップされたデータを当該写真館のために個別に設定された領域に格納する。
【００２９】
ついで、イベントデータ、イベント写真データ、イベントサムネイルデータ、イベントＩＤをイベント毎に写真館コンピュータ１０から管理者コンピュータ２０に写真の販売のためにアップする。管理者コンピュータ２０は、アップされたデータを当該写真館のために個別に設定された領域に格納する。
【００３０】
イベントＩＤは、購入者が購入者コンピュータ３０から管理者コンピュータ２０によりネットＩＮ上に公開されている写真館毎のホームページにアクセスし、公開されているイベントサムネイルを閲覧する際に利用されるものとされる。イベントＩＤは、例えば写真館から学校を介して購入者に発番毎に通知される。なお、イベントＩＤは、写真館コンピュータ１０から購入者コンピュータ２０に、例えば電子メールにより直接通知されてもよい。
【００３１】
図３に、写真館コンピュータ１０から管理者コンピュータ２０にデータをアップする際にログインするための画面、つまりログイン用画面を示し、図４にログイン画面を示す。
【００３２】
ログイン用画面には、図３に示すように、ＩＤとパスワードとを入力する欄、およびログインボタンが設けられている。ＩＤおよびパスワードを入力後にログインボタンがクリックされると、ログインがなされて図４に示すログイン画面が開く。なお、ＩＤおよびパスワードのいずれかが誤っていれば、当然のことながらログインはなされない。この場合、画面にＩＤおよびパスワードのいずれかが誤っている旨の表示をなすようにしてもよい。
【００３３】
ログイン画面には、図４に示すように、イベント管理欄、販売管理欄などが設けられている。イベント管理欄には、イベントを追加するイベント追加サブ欄およびイベント一覧欄表示サブ欄が設けられている。販売管理欄には、イベントごとの販売状況を示す販売一覧表示サブ欄および顧客毎の購入状況を示す顧客一覧表示サブ欄が設けられている。サブ欄にはリンクが貼られていて当該表示をクリックすることにより、当該表示がリンクしているリンク先が表示されるようにされている。例えば、「イベント一覧」の表示をクリックすると、登録されているイベントの一覧が表示されるようにされている。
【００３４】
また、ログイン画面には、写真館が写真館コンピュータ１０から管理者コンピュータ２０を介して展示用縮小写真をネット上で公開するための必要な情報、および法律上で規定されている情報を入力するための情報入力画面を開く表示が設けられている。すなわち、「写真館情報入力」の表示をクリックすると写真館の情報を入力する写真館情報入力画面が開くようにリンクが貼られている。
【００３５】
図５に、写真館の情報を入力する写真館情報入力画面の一例を示す。
写真館情報入力画面には、図５に示すように、契約タイプを入力する契約タイプ入力欄、ＩＤ入力欄、写真館の名称を入力する名称入力欄、写真館の代表者を入力する代表者入力欄、担当者入力欄などが設けられている。
【００３６】
契約タイプには、例えばライトプラン、スタンダードプラン、プレミアムプランなどがある。
【００３７】
ここで、「ライトプラン」とは、従来教室で写真を貼り出していたものを単にネットＩＮ上での公開に切り替えるプランをいう。「スタンダードプラン」とは、写真をネットＩＮ上で公開し、公開された写真についてネットＩＮ上で注文をとり、さらにネットＩＮ上で決済までなすプランをいう。「プレミアムプラン」とは、スタンダードプランに写真を購入者、つまり写真を購入した保護者に送付するサービスも付加されたプランをいう。
【００３８】
図６に、「イベント追加」表示ンがクリックされたときに開く、イベント内容を記入するイベント内容記入画面の一例を示す。
【００３９】
イベント内容記入画面は、図６に示すように、イベント名を記入するイベント名記入欄、ログインＩＤ、つまりイベントＩＤ設定欄、有効日付記入欄、説明文記入欄などが設けられている。
【００４０】
イベント名としては、例えば、運動会、遠足、林間学校、臨海学級などが挙げられる。
【００４１】
有効日付記入欄には、例えば、掲載開始日および掲載期間が記入される。
【００４２】
説明文の欄には、掲載写真についての短い説明文が記入される。また、説明文の欄には、記入される文字についての修飾および文字の色が選択できるように文字修飾選択ボタンおよび色選択ボタンも設けられている。ここで、この説明文はＨＴＭＬ形式にても確認できるようにすることもできる。例えば、画面に「ＨＴＭＬ形式確認」というボタンを設けておき、ボタンがクリックされると、ＨＴＭＬ形式のウインドウが開くようにされてもよい。
【００４３】
図７に、管理者コンピュータ２０によりネットＩＮ上に公開されるイベント写真の一例を示す。
【００４４】
写真一覧を表示する画面には、図７に示すように、写真一覧に掲載されている写真を順次拡大表示させるスライドショーボタンと、購入(注文)した写真を確認するボタン、図示例においては、「買い物かごを見る」ボタンが設けられている。なお、個々の写真に埋め込まれている「ＳＡＭＰＬＥ」の文字は、この写真がサンプルであることを示している。この文字を埋め込むのは、購入者コンピュータ３０から個々の写真がダウンロードされ、それにより購入が回避されるのを避けるためである。
【００４５】
ここで、一覧表示されている個々の写真は、図示はされていないが、拡大ボタンがクリックされることにより、拡大表示されるようにされている。
【００４６】
また、個々の写真には番号が付されるとともに、購入の意思を示すチェックボックスが設けられている。購入パターンは、Ｌサイズ、一枚が一般的であるので、規定値はＬサイズ、一枚に設定されている。サイズや枚数を変更する場合は、「買い物かごを見る」ボタンをクリックして変更を行うことができるようにされている。
【００４７】
図８に、「買い物かごを見る」ボタンがクリックされた場合に開く、買い物かごの一例を示す。なお、図示例においては、ＮＯ．１の写真Ａ，ＮＯ．３の写真Ｃ，ＮＯ．７の写真Ｇにチェックが入れられたものとされている。
【００４８】
「買い物かごを見る」ボタンがクリックされた場合に開く画面は、図８に示すように、上部と下部とから構成され、上部にはチェックを入れた写真を表示する購入写真表示部と、表示された写真のサイズと枚数を指定するサイズ・枚数指定欄と、購入をキャンセルする削除ボタンとが設けられ、一方下部には購入した写真の集計表と、購入した写真の合計金額を表示する合計金額表示部と、購入手順に移行させる購入手続移行ボタンとが設けられてなるものとされる。
【００４９】
図示例においては、ＮＯ．１の写真Ａついては、Ｌサイズが１枚、２Ｌサイズが３枚とされ、ＮＯ．３の写真Ｃついては、Ｌサイズが１枚とされ、ＮＯ．７の写真Ｇについては、Ｌサイズが１枚、キャビネサイズが４枚、四切サイズが１枚とされている。
【００５０】
集計表には、各写真について指定されたサイズおよび枚数に基づいて各サイズの枚数が自動的に集計されるようにされている。また、集計表には各サイズの単価も示されている。図示例では、Ｌサイズは１００円、２Ｌサイズは２００円、キャビネサイズは２００円、四切サイズは６００円とされている。しかして、各サイズの合計枚数と各単価とに基づいて写真代の合計金額が写真代計の欄に表示される。ついで、購入者が購入を決定して購入手続のボタンをクリックすると、購入手続画面が開く。
【００５１】
図９に、購入手続画面の一例を示す。
【００５２】
購入手続画面は、図９に示すように、上部に購入した写真の一覧が表示される購入内容一覧と、下部に購入者の住所を記入する購入者住所記入欄が設けられてなるものとされる。購入者住所記入欄の下方には、決済手続に進む決済手続ボタンが設けられている。決済手続ボタンがクリックされると、決済手続画面が開く。図示例では、「お支払方法の画面に進む」が決済手続ボタンとされている。
【００５３】
購入内容一覧には、削除ボタンが設けられていてこの段階においても購入の変更がなし得るようにされている。
【００５４】
本システムＳにおける購入写真の発送は、契約タイプがプレミアムプランの場合、記入された購入者住所宛に直接送付され、スタンダードプランの場合、他の購入者の写真とまとめて学校または写真館に送付されようにされている。
【００５５】
しかして、決済手続ボタンがクリックされると、図１０に示す決済手続画面が開く。
【００５６】
決済手続画面は、図１０に示すように、コンビニでの支払いを選択する「コンビニ決済」ボタンと、クレジットでの支払いを選択する「クレジット決済」ボタンとが設けられてなるものとされる。また、コンビニ決済の場合は、コンビニでの取り扱い手数料が必要となるとの注意書もなされている。
【００５７】
ここで、「コンビニ決済」ボタンがクリックされると、例えば、「購入手続が完了しました。ご登録いただいた住所宛にコンビニでの支払い用紙を郵送します。指定された期間内にご支払がない場合は、ご注文はキャンセルとなりますので、ご注意ください。」とのメッセージが画面に表示されるようにされている。
【００５８】
一方、「クレジット決済」ボタンがクリックされると、例えば、カードの有効期限を入力する「カード有効記入欄」およびカード番号を記入する「カード番号記入欄」が表示されるようにされている。また、表示された「カード有効記入欄」にカードの有効期限が入力され、「カード番号記入欄」にカード番号が記入されると、例えば、「決済が終了しました。」とのメッセージが画面に表示されるようにされている。
【００５９】
次に、管理者コンピュータ２０によりネットＩＮ上に公開されている写真館のホームページに購入者コンピュータ３０からアクセスして写真を購入する手続について説明する。
【００６０】
購入者コンピュータ３０から当該写真館のアドレスを入力して当該写真館のホームページを当該購入者コンピュータ３０にダウンロードする。図１１に、購入者コンピュータ３０にダウンロードされた写真館ホームページの一例を示す。なお、写真館のホームページのダウンロードは、例えば、学校名や写真館名を検索キーワードとして検索することによりなされてもよい。
【００６１】
図示例の写真館ホームページでは、図１１に示すように、トップにメニューバーが設けられ、その下の左側に写真館からの連絡事項が記載されている「写真館からのお知らせ欄」が設けられ、その右側にイベントＩＤを入力する「イベントＩＤ欄」が設けられている。また、「イベントＩＤ欄」の近くには当該イベントＩＤに対応した写真一覧画面に移行するための「次へ」のボタンも設けられている。
【００６２】
「イベントＩＤ欄」にイベントＩＤが記入され、ついで「次へ」のボタンがクリックされると、当該イベントＩＤに対応した写真一覧が表示される(図７参照)。
【００６３】
以下、前述した手順にしたがって写真の注文(オーダー)、つまり写真の購入がなされて、所定の手順により購入(注文)された写真のプリントがなされた後に発送がなされる。また、注文がなされたことは、管理者コンピュータ２０から該当する写真館コンピュータ１０に通知され、その通知に基づいて写真館コンピュータ１０から購入の確認メールが、購入者コンピュータ３０に自動的に送信される。なお、このメールの送信は管理者コンピュータ２０からなされるようにされてもよい。
【００６４】
また、写真の購入がなされると、この購入に基づいて管理者コンピュータ２０の当該写真館の販売管理におけるイベント販売一覧のデータが更新される。
図１２に、イベント販売一覧のデータの一例を示す。
【００６５】
このように、本実施形態によれば、保護者は学校に足を運ばなくても各種行事の写真を閲覧することができる。また、プランによってはコンピュータ上で写真の購入がなし得るので、利便性の一層の向上が図られる。さらに、決済にクレジット決済を利用した場合、支払のためにコンビニや銀行に足を運ぶ必要がなくなり、利便性のより一層の向上が図られる。
【００６６】
また、学校においては、各種行事毎に写真を学内で展示する必要がなくなり、教師の負担の軽減が図られる。
【００６７】
さらに、写真館は行事毎に展示用写真を学校に送る必要がなくなり、負担の軽減が図られる。その上、プランによっては写真の販売を管理者コンピュータ２０により代行してもらえるので、販売管理に関する負担の軽減が図られる。
【００６８】
実施形態２
本発明の実施形態２を図１３に示す。
【００６９】
実施形態２は実施形態１を改変してなるものであって、管理者コンピュータ２０に写真プリント機４０を接続してなるものとされる。
【００７０】
すなちわ、本実施形態においては、管理者コンピュータ２０に写真プリント機４０を接続し購入者コンピュータ３０からの写真の購入がなされた場合、管理者コンピュータ２０から写真プリント機４０に当該写真データを送信して指定されたサイズおよび枚数の写真プリントをなすものとされている。
【００７１】
しかして、本実施形態における写真プリントは、クレジット決済の場合は、決済と同時にするようにされ、一方コンビニ決済の場合は、コンビニにおける入金が確認された後にするようにされている。
【００７２】
このように、本実施形態では管理者コンピュータ２０に写真プリント機４０を接続してなるものとされるので、システムＳの効率が向上する。また、管理者コンピュータ２０から写真プリント機４０に直接指示がなされるので、写真プリントに着手する時間が短縮される。また、部門間での連絡ミスによる間違いが生ずるおそれを排除することが可能となる。
【００７３】
以上、本発明を実施形態に基づいて説明してきたが、本発明はかかる実施形態のみに限定されるものではなく、種々改変が可能である。
【００７４】
例えば、本実施形態では印画紙にプリントされた写真を購入者に提供するようにされているが、写真をデジタルデータとして購入者に提供するようにされてもよい。例えば、写真のデジタルデータをＤＶＤに格納して購入者に提供するようにされてもよい。
【００７５】
あるいは、写真のデジタルデータを適当な暗号化ソフト、例えばＰＧＰ(プリティ・グッド・プライバシー)により暗号化してオンラインにより購入者に提供するようにされてもよい。この場合、暗号を解読するパスワードなどは、例えば郵送により購入者に送付されるものとすれば、写真データの不正利用を防止することができる。
【００７６】
また、本実施形態では、写真館の契約先が学校とされているが、契約先は学校に限定されるものではなく適宜とでき、例えば、結構式場とすることもできる。
【産業上の利用可能性】
【００７７】
本発明は写真産業に適用できる。
【符号の説明】
【００７８】
１０        写真館コンピュータ
２０        管理者コンピュータ
３０        購入者コンピュータ
４０        写真プリント機
Ｓ          システム
ＩＮ        インターネット、ネット
【図１】
2016038644.tif 000003
【図２】
2016038644.tif 000004
【図３】
2016038644.tif 000005
【図４】
2016038644.tif 000006
【図５】
2016038644.tif 000007
【図６】
2016038644.tif 000008
【図７】
2016038644.tif 000009
【図８】
2016038644.tif 000010
【図９】
2016038644.tif 000011
【図１０】
2016038644.tif 000012
【図１１】
2016038644.tif 000013
【図１２】
2016038644.tif 000014
【図１３】
2016038644.tif 000015